(57)【特許請求の範囲】
【請求項１】
情報を表示する又は意匠性を有する表示面を有するとともに光透過性を有する表示層を有する筐体と、
前記表示層の前記表示面とは反対の面側において前記筐体の内部に収容される太陽電池パネルと、
前記筐体に取り付けられ、電気的に駆動されることで前記表示層とは異なる情報を表現する電気的駆動体と、
前記太陽電池パネルと前記電気的駆動体とに電気的に接続し、前記太陽電池パネルが発電する電力によって前記電気的駆動体を駆動する回路基盤と、
を備え、
前記筐体は、前記表示層と、前記太陽電池パネルを収容する筐体本体と、を有し、前記表示層は、前記筐体本体に着脱可能に取り付けられており、
前記筐体本体は、自立可能に設置される基台と、前記太陽電池パネルを保持する太陽電池保持部と、を有し、前記太陽電池保持部は、前記基台に着脱可能に取り付けられ、前記表示層は、前記太陽電池保持部に着脱可能に取り付けられており、
前記基台は、互いに沿うように配置される一対の基体を有し、前記一対の基体の間に隙間が形成される基台本体と、前記一対の基体の各々の下端部に屈曲可能に取り付けられ、前記基台本体を自立可能に保持する保持体と、前記隙間に保持されるとともに前記保持体に連結され、前記保持体の屈曲にともなって、前記隙間を移動する移動体と、を有し、
前記回路基盤と前記太陽電池パネルとを接続する受電配線および前記回路基盤と前記電気的駆動体とを接続する給電配線のうちの少なくとも一方が、前記隙間の内部に配置されている、
ことを特徴とする太陽電池付き表示体。
【請求項２】
前記一対の基体のうちの一方の基体に、前記隙間に連通する開口部が形成されるとともに、前記太陽電池保持部が着脱可能に取り付けられており、
前記太陽電池保持部は、一対の面のうちの一方の面で前記太陽電池パネルを保持するとともに、他方の面で前記一方の基体に取り付けられ、且つ開口部が形成された保持パネルと、前記他方の面における前記開口部の外周縁部から突出する箱体と、を有し、
前記回路基盤は、前記箱体に収容され、
前記箱体は、前記一方の基体の前記開口部の内部および前記隙間の内部に跨がって収容され、前記給電配線が、前記箱体の内部から前記隙間の内部に延びるように配置されている、
ことを特徴とする請求項１に記載の太陽電池付き表示体。
【請求項３】
前記隙間は、前記基台本体の上端部で開放しており、
前記給電配線は、前記基台本体の上端部から外部に延びて、前記電気的駆動体に接続する、
ことを特徴とする請求項２に記載の太陽電池付き表示体。
【請求項４】
前記太陽電池保持部は、前記保持パネルのうちの前記一方の面に積層される積層パネルをさらに有し、
前記積層パネルには、前記保持パネルに保持された前記太陽電池パネルを内部に収容して、前記太陽電池パネルの外周部分を囲む収容孔が形成されている、
ことを特徴とする請求項２または３に記載の太陽電池付き表示体。
【請求項５】
前記基台本体は、屈曲部を介して折り畳み可能であり、
前記屈曲部は、前記一対の基体のうちの前記一方の基体に形成される折り曲げ部と、他方の基体において前記折り曲げ部よりも下方に形成され、前記他方の基体を上下に区分けする切込部と、を有し、
前記移動体の先端部は、前記切込部を越えて配置され、
前記他方の基体の上部下端縁には、下方に突出する突出片が、前記一方の基体と切り離されて設けられ、前記移動体の移動前において、前記移動体の先端部と重なり合い、
前記屈曲部は、前記一方の基体における前記太陽電池保持部の下端部の取り付け位置よりも下方に設けられている、
ことを特徴とする請求項２乃至４のいずれかに記載の太陽電池付き表示体。
【請求項６】
前記基台本体は、屈曲部を介して折り畳み可能であり、
前記屈曲部は、前記一対の基体のうちの前記一方の基体とは異なる他方の基体に形成される折り曲げ部と、前記一方の基体において前記折り曲げ部よりも下方に形成され、前記一方の基体を上下に区分けする切込部と、を有し、
前記移動体の先端部は、前記切込部を越えて配置され、
前記一方の基体の上部下端縁には、下方に突出する突出片が、前記他方の基体と切り離されて設けられ、前記移動体の移動前において、前記移動体の先端部と重なり合い、
前記屈曲部は、前記一方の基体における前記太陽電池保持部の下端部の取り付け位置よりも下方に設けられている、
ことを特徴とする請求項２乃至４のいずれかに記載の太陽電池付き表示体。
【請求項７】
前記表示層と前記太陽電池パネルとの間に、光拡散層が設けられている、
ことを特徴とする請求項１乃至６のいずれかに記載の太陽電池付き表示体。
【請求項８】
前記電気的駆動体は、反射型表示装置、透過型表示装置、およびモータ駆動式の回転型の装飾部材のうちの少なくともいずれかである、
ことを特徴とする請求項１乃至７のいずれかに記載の太陽電池付き表示体。
【発明の詳細な説明】
【技術分野】
【０００１】
本発明は、太陽電池付き表示体に関する。
【背景技術】
【０００２】
特許文献１には、広告用の文字等を表示するための表示部を有する看板本体に、太陽電池パネルと発光体とが設けられる看板が開示されている。この看板において、太陽電池パネルは、発光体に電力を供給するために設けられている。発光体は、表示部において効果的な情報表示を行うために設けられている。
【０００３】
この看板によれば、太陽電池パネルを利用することにより、煩雑な配線設備を用いることなく発光体を発光させることができる。また、発光体を外部電源に接続する必要がないため、看板の設置自由度を向上させることができる。
【先行技術文献】
【特許文献】
【０００４】
【特許文献１】特開２００８−１５４３８号公報
【発明の概要】
【発明が解決しようとする課題】
【０００５】
ところで、特許文献１に開示された看板では、太陽電池パネルが看板本体の外部に露出した状態で設けられている。しかしながら、このような構成では、太陽電池パネルが比較的大型である場合に、黒色等の太陽電池パネルが目立つ状態となり、看板全体の意匠性が良好であるとは言い難い状態となってしまう。また、看板全体のサイズに制約があり、太陽電池パネルが比較的大型である場合には、太陽電池パネルによって看板本体の設計自由度が制約され、看板本体の表示部を小さく設計せざるを得ず、表示機能（情報表示機能、意匠性）までもが損なわれることもある。
【０００６】
その一方、上記の構成においては、太陽電池パネルのサイズを小型化した場合に、太陽電池パネルによる、看板全体の意匠性への影響および看板本体の設計自由度への影響（情報表示機能、意匠性への影響）を抑制することができるが、この場合には、太陽電池パネルの発電量が小さくなる。そのため、発光体の発光に必要な太陽電池パネルの発電量を確保し難い状況が生じる場合がある。
【０００７】
本発明はこのような実情を考慮してなされたものであり、太陽電池パネルを備える表示体であって、太陽電池パネルによって全体的な意匠性および表示部分の表示機能が損なわれることを防止しつつ、発光体等の電気的駆動体の駆動に必要な太陽電池パネルの発電量を確保し易くすることができる太陽電池付き表示体を提供することを目的とする。
【課題を解決するための手段】
【０００８】
本発明は、情報を表示する又は意匠性を有する表示面を有するとともに光透過性を有する表示層を有する筐体と、前記表示層の前記表示面とは反対の面側において前記筐体の内部に収容される太陽電池パネルと、前記筐体に取り付けられ、電気的に駆動される電気的駆動体と、前記太陽電池パネルと前記電気的駆動体とに電気的に接続し、前記太陽電池パネルが発電する電力によって前記電気的駆動体を駆動する回路基盤と、を備える、ことを特徴とする。
【０００９】
前記表示体において、前記筐体は、前記表示層と、前記太陽電池パネルを収容する筐体本体と、を有し、前記表示層は、前記筐体本体に着脱可能に取り付けられていてもよい。
【００１０】
また、前記筐体本体は、自立可能に設置される基台と、前記太陽電池パネルを保持する太陽電池保持部と、を有し、前記太陽電池保持部は、前記基台に着脱可能に取り付けられ、前記表示層は、前記太陽電池保持部に着脱可能に取り付けられていてもよい。
【００１１】
また、前記基台は、互いに沿うように配置される一対の基体を有し、前記一対の基体の間に隙間が形成される基台本体と、前記一対の基体の各々の下端部に屈曲可能に取り付けられ、前記基台本体を自立可能に保持する保持体と、前記隙間に保持されるとともに前記保持体に連結され、前記保持体の屈曲にともなって、前記隙間を移動する移動体と、を有し、前記回路基盤と前記太陽電池パネルとを接続する受電配線および前記回路基盤と前記電気的駆動体とを接続する給電配線のうちの少なくとも一方が、前記隙間の内部に配置されていてもよい。
【００１２】
また、前記一対の基体のうちの一方の基体に、前記隙間に連通する開口部が形成されるとともに、前記太陽電池保持部が着脱可能に取り付けられており、前記太陽電池保持部は、一対の面のうちの一方の面で前記太陽電池パネルを保持するとともに、他方の面で前記一方の基体に取り付けられ、且つ開口部が形成された保持パネルと、前記他方の面における前記開口部の外周縁部から突出する箱体と、を有し、前記回路基盤は、前記箱体に収容され、前記箱体は、前記一方の基体の前記開口部の内部および前記隙間の内部に跨がって収容され、前記給電配線が、前記箱体の内部から前記隙間の内部に延びるように配置されていてもよい。
【００１３】
また、前記隙間は、前記基台本体の上端部で開放しており、前記給電配線は、前記基台本体の上端部から外部に延びて、前記電気的駆動体に接続してもよい。
【００１４】
また、前記太陽電池保持部は、前記保持パネルのうちの前記一方の面に積層される積層パネルをさらに有し、前記積層パネルには、前記保持パネルに保持された前記太陽電池パネルを内部に収容して、前記太陽電池パネルの外周部分を囲む収容孔が形成されていてもよい。
【００１５】
また、前記基台本体は、屈曲部を介して折り畳み可能であり、前記屈曲部は、前記一対の基体のうちの前記一方の基体に形成される折り曲げ部と、他方の基体において前記折り曲げ部よりも下方に形成され、前記他方の基体を上下に区分けする切込部と、を有し、前記移動体の先端部は、前記切込部を越えて配置され、前記他方の基体の上部下端縁には、下方に突出する突出片が、前記一方の基体と切り離されて設けられ、前記移動体の移動前において、前記移動体の先端部と重なり合い、前記屈曲部は、前記一方の基体における前記太陽電池保持部の下端部の取り付け位置よりも下方に設けられていてもよい。
【００１６】
また、前記基台本体は、屈曲部を介して折り畳み可能であり、前記屈曲部は、前記一対の基体のうちの前記一方の基体とは異なる他方の基体に形成される折り曲げ部と、前記一方の基体において前記折り曲げ部よりも下方に形成され、前記一方の基体を上下に区分けする切込部と、を有し、前記移動体の先端部は、前記切込部を越えて配置され、前記一方の基体の上部下端縁には、下方に突出する突出片が、前記他方の基体と切り離されて設けられ、前記移動体の移動前において、前記移動体の先端部と重なり合い、前記屈曲部は、前記一方の基体における前記太陽電池保持部の下端部の取り付け位置よりも下方に設けられていてもよい。
【００１７】
また、前記表示層と前記太陽電池パネルとの間に、光拡散層が設けられていてもよい。
【００１８】
また、前記電気的駆動体は、反射型表示装置、透過型表示装置、モータ駆動式の回転型の装飾部材、無線発信機、および発光体のうちの少なくともいずれかであってもよい。
【発明の効果】
【００１９】
本発明によれば、太陽電池パネルによって全体的な意匠性および表示部分の表示機能が損なわれることを防止しつつ、電気的駆動体の駆動に必要な太陽電池パネルの発電量を確保し易くすることができる。
【図面の簡単な説明】
【００２０】
【図１】本発明の一実施の形態による太陽電池付き表示体の斜視図である。
【図２】図１の表示体の側面図である。
【図３】図１の表示体の分解斜視図である。
【図４】（ａ）は、図１の表示体が備える筐体における基台の自立状態の様子を前方から見た斜視図であり、（ｂ）は、当該基台の自立状態の様子を後方から見た斜視図である。
【図５】（ａ）は、図４に示した基台を第２収納状態から展開した第１収納状態の一例の斜視図であり、（ｂ）は、その状態の縦断面図である。
【図６】（ａ）は、図４に示した基台の第２収納状態の斜視図であり、（ｂ）は、その状態の縦断面図である。
【図７】図１の表示体が備える筐体の縦断面図である。
【発明を実施するための形態】
【００２１】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００２２】
図１乃至図３に示すように、本実施の形態による太陽電池付き表示体１（以下、表示体１と略す。）は、広告情報等の情報を表示する又は意匠性を有する表示面２Ａを有するとともに光透過性を有する表示層２を有する筐体１０と、表示層２の表示面２Ａとは反対の面側において筐体１０の内部に収容される太陽電池パネル４０と、筐体１０に取り付けられ、電気的に駆動される電気的駆動体である反射型表示装置５０と、太陽電池パネル４０と反射型表示装置５０とに電気的に接続し、太陽電池パネル４０が発電する電力によって反射型表示装置５０を駆動する回路基盤６０（図３参照）と、を備えている。
【００２３】
本実施の形態において、表示体１は自立式の表示体（例えば、広告体）であり、図１および図２には、表示体１の自立状態が示されている。本実施の形態では、説明の便宜上、表示体１が自立する方向を上下方向と呼ぶ。また、表示体１における表示層２の表示面２Ａが指向する方向を前方と呼び、その反対の方向を後方と呼ぶ。本実施の形態の説明に用いる図面には、上下方向を示す矢印と、前後方向を示す矢印とが、適所に示されている。以下、表示体１を構成する各部について詳述する。
【００２４】
＜筐体の構成＞
図１乃至図３に示すように、筐体１０は、表示層２と、太陽電池パネル４０を収容する筐体本体１００と、を有している。図示の例において、表示層２は、筐体本体１００とは別体に形成されている。表示層２は、広告情報等の情報を表示する又は意匠性を有する表示面２Ａを有するとともに光透過性を有するシート状の部材である。図示の例において、表示面２Ａには、数字、文字、幾何学形状等の広告情報等の情報が表示されている。なお、表示面２Ａには、単なる木目などの意匠性が発現される模様等が表示されてもよい。情報を表示する又は意匠性を有する表示面２Ａとは、表示層２のうちの最外面に位置する面であって、外部に向いて、外部の観察者が視認可能なように情報を表示する面、または意匠を発現する面を意味する。
【００２５】
筐体本体１００は、自立状態で配置される基台１０１と、太陽電池パネル４０を保持する太陽電池保持部１０２と、を有している。本実施の形態では、太陽電池保持部１０２が、基台１０１に着脱可能に取り付けられている。表示層２は、筐体本体１００のうちの太陽電池保持部１０２の基台１０１側（後方側）の面とは反対側（前方側）の面に、着脱可能に取り付けられている。
【００２６】
図３に示すように、本実施の形態の太陽電池保持部１０２は、太陽電池パネル４０を保持する保持部本体１０５と、保持部本体１０５の前方側に配置される光拡散層１０６と、を有している。図示の例では、光拡散層１０６の上部および下部の各々に、ホルダ部１０７が設けられている。表示層２は、光拡散層１０６を覆うように上下のホルダ部１０７に取り付けられることにより、筐体本体１００と一体化されている。
【００２７】
（筐体本体）
筐体本体１００は、上述したように、基台１０１と太陽電池保持部１０２とを有している。図４乃至図６には、筐体本体１００のうちの基台１０１が示されている。
【００２８】
基台
基台１０１は、図４に示すように自立する自立状態と、図５に示すように板状に折り畳まれた第１収納状態と、図６に示すように第１収納状態からさらに折り畳まれた第２収納状態と、に転換可能となっている。本実施の形態では、基台１０１を第１収納状態または第２収納状態とすることで、表示体１を簡単に持ち運ぶことが可能となっている。
【００２９】
図４に示すように、基台１０１は、太陽電池保持部１０２を取り付ける長方形の板状に形成された基台本体１１１と、この基台本体１１１を、その長手方向が上下方向に沿うように自立可能に下方で保持する自立保持部１５と、を有している。基台本体１１１および自立保持部１５の材質は、特に限定されるものではないが、発泡樹脂やダンボール等が用いられる場合には、軽量化を図ることができるため、可搬性を向上できる。
【００３０】
基台本体１１１は、互いに沿うように配置される長方形の板状の一対の基体１１２を有し、一対の基体１１２の間には、基体１１２の板面方向に沿って延びる隙間Ｓ（図５（ｂ）参照）が形成されている。一対の基体１１２は、前方側に配置され、太陽電池保持部１０２が取り付けられる基体１１２Ａと、後方側に配置される基体１１２Ｂとを有する。基体１１２Ａには、太陽電池保持部１０２を取り付けるための取付部１１６が４つ設けられている（個数は特に限定されない。）。取付部１１６は、基体１１２Ａの上部側と下部側とに設けられている。また、基体１１２Ａには、隙間Ｓに連通する矩形状の開口部１１４が形成されている。開口部１１４は、回路基盤６０を隙間Ｓの内部に収容するために形成されている。これについての詳細は、後述する。
【００３１】
図示省略するが、基体１１２Ａと基体１１２Ｂの幅方向（長手方向および厚さ方向に直交する方向）の両端部には、スペーサ部材が設けられる。このスペーサ部材によって、基体１１２Ａと基体１１２Ｂとが連結され、基体１１２Ａと基体１１２Ｂとの間に、スペーサ部材の厚さと同等の厚さの隙間Ｓが形成されている。
【００３２】
図５（ａ），（ｂ）に示すように、隙間Ｓは、基台本体１１１の上端部で開放するとともに、基台本体１１１の下端部で開放している。図５（ａ），（ｂ）においては、隙間Ｓの下端開放部分が符号５ａで示され、上端開放部分が符号５ｂで示されている。
【００３３】
自立保持部１５は、図４および図５に示すように、基体１１２Ａ，１１２Ｂの各々の下端部から下方に延びるように設けられ、水平方向に延びる折り目線１８を介して双方が離れる方向（以下、「外側」と称する。）に屈曲可能に配置されている２つの支持部材１６、１７（保持体）と、この支持部材１６、１７間に配置され、上下方向に移動可能であって一部が前記隙間Ｓに挿入される移動体２０と、を有している。
【００３４】
前後２つの支持部材１６、１７は、移動体２０の下端部に連結されている。図５に示すように、各支持部材１６、１７には、上下を区分けするようにして水平方向に延びる折り目線１９が形成されており、さらには、下端部近傍にも水平方向に延びる折り目線１９ｂが形成されている。そして、図４に示すように、自立保持部１５は、各支持部材１６、１７の上部が外側に屈曲することで、各支持部材１６、１７の下部が折り目線１９を介して内側に屈曲し、側面視において略トラス形状に形成されることで、基台本体１１１を下方から安定して自立可能に保持するようになっている。
【００３５】
このように支持部材１６、１７の上部は、基台本体１１１の基体１１２Ａ，１１２Ｂに対して傾斜する傾斜体として機能し、支持部材１６、１７の下部は、傾斜体と移動体２０とを繋ぐ連結体として機能する。また、移動体２０は、支持部材１６，１７の下部のうちの折り目線１９ｂよりも下方の部分に連結されており、支持部材１６、１７の下部の屈曲動作にともなって隙間Ｓを上方に移動する。
【００３６】
移動体２０の厚みは、基台本体１１１に用いられる材質の弾性力を考慮して隙間Ｓよりも大きく設計されることが好ましい。このようにすれば、移動体２０は、弾性力により基体１１２Ａ，１１２Ｂが多少変形しつつも移動可能であるため、多少の寸法誤差があっても、基台１０１をがたつくことなくしっかりと組み立てることができる。特に、大型の表示体１を製造するために基台１０１を大型化する際には、寸法誤差をシビアに気にする必要がなくなるため製造コストの低減を図れる。
【００３７】
このように、本実施の形態で用いられる基台１０１は、自立保持部１５が略トラス状に形成されることで、容易に剛性を高め安定して自立可能となっている。よって、大型の太陽電池保持部１０２を保持する場合であっても十分な強度を確保することができる。
【００３８】
また、この基台１０１では、基台本体１１１が、屈曲部３０を介して２つに折り畳み可能であり、上述したように、図５に示す第１収納状態からさらに折り畳まれた第２収納状態に転換可能となっている。
【００３９】
屈曲部３０は、図５に示すように、基体１１２Ａに形成された折り目線１１（折り曲げ部）と、基体１１２Ｂに形成された切込部１３と、で構成される。折り目線１１は、図４（ａ）および図５（ａ）に示すように、基体１１２Ａの中央部と下端部との間の中間位置に水平方向に延びるようにして形成されている。一方、切込部１３は、図５（ｂ）及び図６（ａ）に示すように、前記折り目線１１よりも下方の位置に水平方向に延びるようして形成されており、この切込部１３によって、基体１１２Ｂが上下に区分けされている。
【００４０】
基台本体１１１は、この折り目線１１と切込部１３により、図５の状態から図６の状態に示すように、折り目線１１に沿ってその上部が前方に屈曲可能になっている。この結果、基台本体１１１は、図６に示すように、上下方向において折り畳むことが可能である。
【００４１】
また、図５（ｂ）に示すように、基台本体１１１の基体１１２Ｂの下端縁には、下方に延びる突出体１４が当該基体１１２Ｂの上部（上下に区分けされた部分のうちの上方側の部分）と一体的に形成されている。また、図５および図６に示すように、この突出体１４は、前方側の基体１１２Ａとは切り離されて設けられている。厳密に説明すると、突出体１４は、上述したスペーサ部材によって基体１１２Ａのうちの折り目線１１よりも下方側に位置する下部に連結されておらず、基体１１２Ａのうちの下部とは切り離されて設けられている。
【００４２】
すなわち、基体１１２Ａと基体１１２Ｂとは、上述したスペーサ部材によって連結されるが、スペーサ部材は、屈曲部３０を挟んで上部と下部に分断されている。そして、スペーサ部材の上部は、基体１１２Ａの折り目線１１よりも上方に位置する上部と、基体１１２Ｂの切込部１３よりも上方に位置する上部とを連結する。一方、スペーサ部材の下部は、基体１１２Ａの折り目線１１よりも下方に位置する下部と、基体１１２Ｂの切込部１３よりも下方に位置する下部とを連結する。そして、基体１１２Ａの上部および基体１１２Ｂの上部と、基体１１２Ａの下部および基体１１２Ｂの下部とは、折り目線１１のみで連結されている。そのため、基台本体１１１は、折り目線１１に沿ってその上部が前方に屈曲可能となり、その結果、上下方向に折り畳むことが可能となっている。ここで、上述の突出体１４が、基体１１２Ａの下部に連結されてしまうと、基台本体１１１を折り畳むことが不能となる。したがって、突出体１４は、基体１１２Ａのうちの下部とは切り離されて設けられている。
【００４３】
なお、突出体１４は、見栄えを考慮しないのであれば、少なくとも一部が下方に突出していれば良く、その形状は、例えば、逆三角形、凹凸形状などのような形態であっても構わない。また、後述するが、この突出体１４は、移動体２０がスムースに隙間Ｓへと挿入されるようにガイドするガイド体として機能する。
【００４４】
ここで、屈曲部３０と基台１０１の他の要素との配置関係について説明する。図５に示すように、移動体２０の先端部は、基体１１２Ｂの下部の上端部（切込部１３）を超えて配置されており、移動体２０の移動によってその上方の隙間Ｓに挿入される。なお、この先端部は、基台本体１１１を折り畳むときに邪魔にならなければ良いため、前記折り目線１１を越えない範囲で配置される。また、先端部が基体１１２Ｂの下部の上端部を超えて配置される必要がある理由は、移動体２０が移動する際に、基体１１２Ｂの下部の上端縁と引っ掛かる場合が想定されるからである。
【００４５】
また、上述した突出体１４は、移動体２０の移動前（図５の状態）において、移動体２０の先端部と少なくとも一部が重なり合うように配置される。これにより、移動体２０は、基台本体１１１の組立時において、基体１１２Ｂの上部の下端縁と引っ掛かることなく、隙間Ｓへとスムースにガイドされる。
【００４６】
また、図４に示すように、屈曲部３０は、基体１１２Ａにおける太陽電池保持部１０２の下端部の取り付け位置よりも下方に設けられている。すなわち、屈曲部３０は、基体１１２Ａに設けられる取付部１１６のうちの下部側に設けられた取付部１１６よりも下方に設けられている。
【００４７】
上述の構成を有する基台１０１は、一例として、以下のように組み立てられる。まず、図６に示す基台本体１１１の上部を、折り目線１１を介して上方へと持ち上げて、図５に示すように展開するとともに、基台本体１１１を載置する載置面に支持部材１６、１７の下端面を押し当てる。この結果、図４に示すように、支持部材１６、１７の下部が折り目線１９を介して内側へと屈曲するとともに、支持部材１６、１７の上部が折り目線１８を介して外側へと屈曲する。そして、支持部材１６、１７の上部が基台本体１１１の基体１１２Ａ，１１２Ｂに対して前後方向へと傾斜し、自立保持部１５の組立が完了する。
【００４８】
この際、移動体２０は、支持部材１６、１７の下部の屈曲動作にともなって、突出片１４によってガイドされつつ、その先端部が基台本体１１１の上部の隙間Ｓへと挿入される。この結果、図４に示すように、基台本体１１１の上部が立設し、基台１０１の組立が完了する。
【００４９】
太陽電池保持部
続いて、図３および図７を参照して、太陽電池保持部１０２を説明する。太陽電池保持部１０２は、図３および図７に示すように、太陽電池パネル４０を保持する保持部本体１０５と、保持部本体１０５の前方側に配置される光拡散層１０６と、を有している。保持部本体１０５は、保持パネル１０３によって基台１０１に取り付けられるようになっている。保持部本体１０５には、保持パネル１０３と、保持パネル１０３に積層される積層パネル１０４と、保持パネル１０３に設けられた箱体１０８と、が含まれている。
【００５０】
保持パネル１０３は、例えば、アクリル等から長方形の板状に形成されている。保持パネル１０３は、その一対の面のうちの一方の面（前面）で太陽電池パネル４０を保持するとともに、他方の面（後面）で基台体本１１１の基体１１２Ａに取り付けられるようになっている。図示の例において、保持パネル１０３の前面には、４つの太陽電池パネル４０が上下方向に並んで取り付けられている。太陽電池パネル４０は、例えば、ネジで保持パネル１０３に取り付けられてもよいし、接着剤で保持パネル１０３に取り付けられてもよい。
【００５１】
保持パネル１０３の後面は、例えば、マジックテープ（登録商標）により、基台体本１１１の基体１１２Ａに設けられた上述の取付部１１６に着脱可能に取り付けられている。基体１１２Ａに対する取付態様は、これに限らず種々の態様が採用され得る。例えば、基体１１２Ａの取付部１１６にフックを設け、保持パネル１０３の後面に設けた穴やリング等を係合させることにより、保持パネル１０３が、基体１１２Ａに着脱可能に取り付けられてもよい。
【００５２】
また、保持パネル１０３には、矩形状の開口部１０３Ａが、板面を直交する方向に貫通した状態で形成されている。上述の箱体１０８は、保持パネル１０３の後面における開口部１０３Ａの外周縁部から突出するように設けられている。箱体１０８は、回路基盤６０を収容するために設けられている。
【００５３】
図７に示すように、箱体１０８は、回路基盤６０を収容した状態で、基体１１２Ａに形成された上述の開口部１１４を通されることにより、開口部１１４の内部および隙間Ｓの内部に跨がって収容される。これにより、本実施の形態では、回路基盤６０が、開口部１１４の内部および隙間Ｓの内部に収容される。また、図３に示すように、太陽電池パネル４０から延びる受電配線６１は、上述の保持パネル１０３に形成された開口部１０３Ａを通して、箱体１０８内に至り、回路基盤６０に接続されるようになっている。
【００５４】
積層パネル１０４は、保持パネル１０３に接着された状態で積層されてもよいし、取り外し可能に積層されてもよい。積層パネル１０４には、保持パネル１０３に保持された太陽電池パネル４０を内部に収容して、太陽電池パネル４０の外周部分を囲む収容孔１０４Ａが形成されている。図示の例では、太陽電池パネル４０の個数に対応して、収容穴１０４Ａが、４つ形成されている。図７に示すように、収容孔１０４Ａの深さは、太陽電池パネル４０の厚さよりも大きいことが好ましい。積層パネル１０４は、例えばＰＥＴ等により形成され、図示の例において、保持パネル１０３と略同一寸法の長方形状に形成されている。積層パネル１０４の前面には、グレー、濃紺色、黒色等の太陽電池パネル４０の色に近い色を着色することが好ましい。より具体的には、太陽電池パネル４０の前面の明度と、積層パネル１０４の前面の明度と、の差が、２．３以内となるように調整されることが好ましい。この場合、表示層２が取り付けられた際に、表示層２の表示面２Ａに、太陽電池パネル４０等の後方側に配置された部材の影響で色ムラが生じることを抑制できる。なお、本実施の形態では、積層パネル１０４に収容孔１０４Ａが形成されているが、このような収容孔１０４Ａは形成されなくてもよい。この場合、積層パネル１０４は、保持パネル１０３を全体的に覆う透明パネルのうちの太陽電池パネル４０に向き合う部分以外の部分に、太陽電池パネル４０の色に近い色を着色（印刷）することにより、構成されてもよい。
【００５５】
また、光拡散層１０６は、表示層２と太陽電池パネル４０との間に設けられ、積層パネル１０４の収容孔１０４Ａを通して前方を指向する太陽電池パネル４０を前方から覆っている。図示の例において、光拡散層１０６は、保持パネル１０３と略同一寸法の長方形状に形成されている。光拡散層１０６は、入射光を拡散し得るものであれば特に限定されることはなく、例えば公知の各種光拡散層を適宜選択して用いることができる。例えば、ポリエステル系樹脂、ポリカーボネート系樹脂やポリオレフィン系樹脂からなるフィルムを用い、当該フィルムの表面に凹凸を形成することにより、光拡散層１０６を作製してもよい。なお、光拡散層１０６は、無くても構わない。
【００５６】
また、本実施の形態の太陽電池保持部１０２は、保持部本体１０５の外周縁と光拡散層１０６の外周縁とを取り囲んで一体化するレール部材１０９をさらに有している。レール部材１０９は、上レール１０９Ｕ、下レール１０９Ｄ、左レール１０９Ｌおよび右レール１０９Ｒを有する。各レール１０９Ｕ，１０９Ｄ，１０９Ｌ，１０９Ｒは、断面が略Ｕ字状に形成されている。
【００５７】
上レール１０９Ｕは、保持部本体１０５の外周縁の上部と光拡散層１０６の外周縁の上部とを前後から挟み込む。下レール１０９Ｄは、保持部本体１０５の外周縁の下部と光拡散層１０６の外周縁の下部とを前後から挟み込む。左レール１０９Ｌは、保持部本体１０５の外周縁の幅方向の一方側と光拡散層１０６の外周縁の幅方向の一方側とを前後から挟み込む。右レール１０９Ｒは、保持部本体１０５の外周縁の幅方向の他方側と光拡散層１０６の外周縁の幅方向の他方側とを前後から挟み込む。各レール１０９Ｕ，１０９Ｄ，１０９Ｌ，１０９Ｒは、その端部で、隣接するレールの端部に連結される。これにより、本実施の形態では、図７に示すように、レール部材１０９によって、保持部本体１０５と光拡散層１０６とが一体化されている。
【００５８】
（表示層）
表示層２は、例えば、ＰＥＴにより形成される透明の基材層と、情報を表示する又は意匠性を発現するために形成された着色層と、で構成される。この場合、表示層２においては、基材層の表面（前面）に着色層が形成され、着色層が表示層２のうちの最外面に位置する表示面２Ａを構成し、表示面２Ａにおいては、着色層の表面によって、外部の観察者が視認可能なように情報が表示されるか、または意匠が発現されてもよい。また、表示層２においては、基材層の裏面（後面）に着色層が形成され、基材層の表面（前面）が表示層２のうちの最外面に位置する表示面２Ａを構成し、表示面２Ａにおいては、着色層の表面によって、透明の基材層を通して、外部の観察者が視認可能なように情報が表示されるか、または意匠が発現されてもよい。また、表示層２は、着色部分と透明部分とが混在して一体に成形され、着色部分によって、外部の観察者が視認可能なように情報が表示されるか、または意匠が発現されてもよい。
表示面２Ａに表示される情報は、広告情報、案内情報、ニュース情報等である。当該情報は、数字、文字、幾何学形状等の他、パターン、デザイン、絵、キャラクター、イメージ、マーク、ピクトグラム等で表現されるものである。また、情報は、文字およびパターン等の組合せや、文字・ピクトグラムで表現された模様、文字および絵柄の組合せ等の情報に加えて意匠性を含むものでもよい。また、表示面２Ａには、単なる木目などの意匠性が発現される模様等が表示されてもよい。表示層２は、太陽電池パネル４０の受光面（前面）側に、すなわち受光面を覆うように、位置するため、太陽電池パネル４０の発電効率の観点から、可能な限り透明性、すなわち高い光透過性を有していることが好ましい。表示層２の光透過性は、表示された情報や模様等によって変動するが、表示層２は、平均透過率が、例えば２０％以上となる光透過性を有することが好ましく、５０％以上となる光透過性を有することがより好ましく、７０％以上となる光透過性を有することがさらに好ましい。なお、表示面２Ａに表示される情報や模様等は、光透過性を有していてもよいし、有していなくてもよいが、発電を考慮すると、光透過性を有する方が好ましい。
【００５９】
ここで、本件明細書における平均透過率は、表示層２の面内平均における可視光線透過率を意味する。可視光線透過率の値としては、例えば、ＳＭカラーコンピュータＳＭ−Ｃ（スガ試験機株式会社製）を用いて、３８０ｎｍから７５０ｎｍの可視光波長領域を測定し、任意に採取したサンプル１２点の測定値を平均した値を採用することが精度向上の観点で好ましい。なお、表示層２に表示された情報や模様等が形成されている場合等、表示層２の面内に可視光線透過率が大きく異なる箇所がある場合には、占有面積が比較的広い箇所を選んでそれらの平均を採用すれば足りる。なお、光透過性を有する表示層２には、レンズやプリズムがさらに設けられてもよい。例えば、着色層と基材層とプリズム又はレンズとで表示層２が形成されてもよい。
【００６０】
＜太陽電池パネルの構成＞
次に、太陽電池パネル４０について説明する。太陽電池パネル４０は、受電配線６１を介して回路基盤６０に接続される。上述したように、受電配線６１は、保持パネル１０３に形成された開口部１０３Ａを通して、箱体１０８内に至り、回路基盤６０に接続される。太陽電池パネル４０は、図示省略する複数の太陽電池（太陽電池素子）を電気的に接続し、これら複数の太陽電池を図示省略する一対の基板によって挟持することで構成されている。太陽電池パネル４０を構成する太陽電池としては、特に限定されることはなく、公知のものを適宜選択して用いることができる。上記太陽電池としては、例えば、単結晶シリコーン型太陽電池素子、多結晶シリコーン型太陽電池素子、アモルファスシリコン型太陽電池素子、化合物半導体型太陽電池素子、色素増感型太陽電池素子、量子ドット型太陽電池素子、および有機薄膜型太陽電池素子等を挙げることができる。
【００６１】
＜反射型表示装置の構成＞
次に、反射型表示装置５０について説明する。図２および図３に示すように、反射型表示装置５０は、筐体１０の上端部に取り付けられている。図示の反射型表示装置５０は、表示装置本体５１と、表示装置本体５１を支持するとともに筐体１０の上端部に取り付けられる保持部材５２と、を有している。反射型表示装置５０は、表示装置本体５１において任意の情報（図１に示すような「入口」という文字情報等）を表示することが可能である。これにより、反射型表示装置５０は、例えば、表示層２における情報と協働して、効果的な情報表示を行うことができる。
【００６２】
図３に示すように、表示装置本体５１は、「矢印」の形状に形成されている。表示装置本体５１は、少なくとも一方が透光性を有しており各々電極が形成されている対向する２枚の基板間に、少なくとも１種以上の電気応答性材料を含む表示媒体が封入され、２枚の基板間に所定の電界が与えられる際に表示媒体が所望の表示をするように構成されている。本実施の形態では、電気応答性材料として、粒子が二色に色分けされ電場により回転するツイストボールが用いられている。電気応答性材料としては、白や黒、カラーなどの色づけされた粒子が電場に応答して移動するいわゆる電気泳動材料が用いられてもよい。
【００６３】
表示装置本体５１は、表示面とは反対側の裏面（後面）にコネクタ５１Ａを有している。コネクタ５１Ａに、回路基盤６０から延びる給電配線６２が接続されることにより、表示装置本体５１に電力が供給される。
【００６４】
保持部材５２は、表示装置本体５１の形状に対応して「矢印」の形状に形成された本体５２Ａと、本体５２Ａの下部から突出する挿入部５２Ｂと、を有している。本体５２Ａは、表示装置本体５１を例えばネジ等により支持するようになっている。この支持状態で、上述の給電配線６２をコネクタ５１Ａに接続できるように、本体５２Ａと表示装置本体５１との間には、隙間が形成されていてもよい。本体５２Ａの幅寸法（上下方向および前後方向に直交する方向での寸法）は、基台本体１１１の幅寸法よりも大きく形成されている。一方、挿入部５２Ｂの幅寸法は、隙間Ｓの幅寸法よりも小さく形成されている。これにより、挿入部５２Ｂが基台本体１１１の上端部の上端開放部分５ｂ（図５（ｂ）等参照）から隙間Ｓに挿入され、本体５２Ａが、基台本体１１１の上端部の幅方向の両端部に接することで、この例では、図１および図２に示すように、反射型表示装置５０が、保持部材５２を介して筐体１０の上端部に取り付けられるようになっている。
【００６５】
＜回路基盤の構成＞
次に、回路基盤６０について説明する。回路基盤６０は、上述したように、箱体１０８の内部に収容されている。回路基盤６０は、例えば、ネジ等により箱体１０８の内壁面に取り付けられている。回路基盤６０は、箱体１０８が基体１１２Ａに形成された上述の開口部１１４の内部および隙間Ｓの内部に跨がって収容されることにより、開口部１１４の内部および隙間Ｓの内部に収容されている。
【００６６】
回路基盤６０は、太陽電池パネル４０と反射型表示装置５０とに電気的に接続し、太陽電池パネル４０が発電する電力によって反射型表示装置５０を駆動する装置である。図３に示すように、回路基盤６０は、太陽電池パネル４０から延びる受電配線６１によって太陽電池パネル４０に電気的に接続している。また、回路基盤６０は、給電配線６２によって、反射型表示装置５０に電気的に接続している。本実施の形態では、回路基盤６０に、反射型表示装置５０の表示を制御する表示制御装置が含まれている。当該表示制御装置からの指令は、給電配線６２を介して反射型表示装置５０に出力されるようになっている。ここで、図３に示すように、本実施の形態においては、回路基盤６０から延びる給電配線６１が、箱体１０８の内部から隙間Ｓの内部に延びるように配置されている。そして、給電配線６１は、基台本体１１１の上端部の上端開放部分５ｂから外部に延びて、反射型表示装置５０に接続している。
【００６７】
＜作用・効果＞
以上に記載した本実施の形態による表示体１では、太陽電池パネル４０が、光透過性を有する表示層２の表示面２Ａとは反対の面側において筐体１０の内部に収容される。この構成によれば、表示層２を透過した光によって太陽電池パネル４０が発電する。また、太陽電池パネル４０が、表示体１の全体的な意匠性および表示層２における表示面２Ａの設計自由度（情報表示機能または意匠性）に影響を与えることがない。また、太陽電池パネル４０は、筐体１０の内部に収容されること以外には、その配置自由度およびサイズに制約が生じないため、太陽電池パネル４０の配置位置およびサイズを、比較的自由に設定することができる。
【００６８】
したがって、太陽電池パネル４０によって全体的な意匠性および表示部分の表示機能（情報表示機能および／または意匠性）が損なわれることを防止しつつ、電気的駆動体である反射型表示装置５０の駆動に必要な太陽電池パネル４０の発電量を確保し易くすることができる。
【００６９】
また、本実施の形態によれば、筐体１０が、表示層２と、太陽電池パネル４０を収容する筐体本体１００と、を有し、表示層２は、筐体本体１００に着脱可能に取り付けられている。これにより、表示層２を適宜交換することができるため、所望の情報又は意匠を任意に表示体１で表示することができる。
【００７０】
また、本実施の形態によれば、筐体本体１００が、自立可能に設置される基台１０１と、太陽電池パネル４０を保持する太陽電池保持部１０２と、を有し、太陽電池保持部１０２は、基台１０１に着脱可能に取り付けられ、表示層２は、太陽電池保持部１０２に着脱可能に取り付けられている。これにより、表示層２、太陽電池保持部１０２、および基台１０１を分離可能となるため、各部材の取り扱い性を向上させることができる。
【００７１】
また、本実施の形態によれば、基台１０１は、互いに沿うように配置される一対の基体１１２（１１２Ａ，１１２Ｂ）を有し、一対の基体１１２の間に隙間Ｓが形成される基台本体１１１と、基体１１２Ａ，１１２Ｂの各々の下端部に屈曲可能に取り付けられ、基台本体１１１を自立可能に保持する支持部材１６，１７（保持体）と、隙間Ｓに保持されるとともに支持部材１６，１７に連結され、支持部材１６，１７の屈曲にともなって、隙間Ｓを移動する移動体２０と、を有している。そして、回路基盤６０と反射型表示装置５０とを接続する給電配線６２が、隙間Ｓの内部に配置されている。これにより、基台１０１の利便性によって表示体１の利便性を向上させることができる。また、基台１０１において移動体２０を移動させるために形成された隙間Ｓを利用して、給電配線６２を外観に現れない状態に配置することができ、特別な構造を設けることなく、配線が表示体１の意匠性に影響を及ぼすことを抑制できる。なお、上記の基台１０１は、支持部材１６，１７の屈曲に応じて、自立状態と収納状態とを転換できる。また、基体１１２の間に形成された隙間Ｓに保持された移動体２０を支持部材１６，１７に連結して、移動体２０は、支持部材１６，１７の屈曲にともなって、隙間Ｓを移動するため、支持部材１６，１７がスムースに屈曲する。このため、使い勝手に優れる。なお、本実施の形態では、給電配線６２が、隙間Ｓの内部に配置されるが、受電配線６１が隙間Ｓの内部に配置されてもよいし、給電配線６２および受電配線６１の両方が隙間Ｓの内部に配置されてもよい。
【００７２】
また、本実施の形態によれば、基体１１２Ａに、隙間Ｓに連通する開口部１１４が形成されるとともに、太陽電池保持部１０２が着脱可能に取り付けられている。また、太陽電池保持部１０２は、一対の面のうちの一方の面で太陽電池パネル４０を保持するとともに、他方の面で基体１１２Ａに取り付けられ、且つ開口部１０３Ａが形成された保持パネル１０３と、前記他方の面における開口部１０３Ａの外周縁部から突出する箱体１０８と、を有している。そして、回路基盤６０は、箱体１０８に収容され、箱体１０８は、基体１１２Ａの開口部１１４の内部および隙間Ｓの内部に跨がって収容され、給電配線６１が、箱体１０８の内部から隙間Ｓの内部に延びるように配置されている。これにより、基台１０１において移動体２０を移動させるために形成される隙間Ｓを有効に利用して、回路基盤６０を、外観に現れない状態で配置することができ、しかも回路基盤６０が表示体１から張り出すことを防止することができる。このため、簡易的な加工のみで、回路基盤６０が表示体１の意匠性に影響を及ぼすことを抑制でき、且つ、表示体１の厚さを抑制することができる。
【００７３】
また、本実施の形態によれば、隙間Ｓは、基台本体１１１の上端部で開放しており、給電配線６２は、基台本体１１１の上端部から外部に延びて、反射型表示装置５０に接続する。これにより、基台本体１１１の上端部で開放する隙間Ｓを利用して、給電配線６２を容易に反射型表示装置５０まで引き回すことができる。
【００７４】
また、本実施の形態によれば、太陽電池保持部１０２が、保持パネル１０２の太陽電池パネル４０を保持する面に積層される積層パネル１０４をさらに有し、積層パネル１０４には、太陽電池パネル４０を内部に収容して、太陽電池パネル４０の外周部分を囲む収容孔１０４Ａが形成されている。これにより、太陽電池パネル４０と積層パネル１０４との境界部分に段差が生じることが抑制できるため、その前面側に配置される光拡散層１０６あるいは表示層２を配置し易くすることができる。
【００７５】
また、本実施の形態によれば、基台本体１１１は、屈曲部３０を介して折り畳み可能であり、屈曲部３０は、基体１１２Ａに形成される折り目線１１（折り曲げ部）と、基体１１２Ｂにおいて前記折り目線１１よりも下方に形成され、基体１１２Ｂを上下に区分けする切込部１３と、を有している。また、移動体２０の先端部は、切込部１３を越えて配置され、基体１１２Ｂの上部下端縁には、下方に突出する突出片１４が、基体１１２Ａと切り離されて設けられ、移動体２０の移動前において、移動体２０の先端部と重なり合うようになっている。また、屈曲部３０は、基体１１２Ａにおける太陽電池保持部１０２の下端部の取り付け位置よりも下方に設けられている。これにより、基体１１２Ａに太陽電池保持部１０２を保持した状態のまま、基台本体１１１を折り畳むことができるため、利便性を向上させることができる。
【００７６】
また、本実施の形態によれば、表示層２と太陽電池パネル４０との間に、光拡散層１０６が設けられている。これにより、表示層２に入射する光の入射角によらず、多くの光を、太陽電池パネル４０に導くことができるため、太陽電池パネル４０の発電効率の低下を抑制できる。
【００７７】
以上、本発明の実施の形態を説明したが、上述の実施の形態においては、種々の置き換え、変更を行うことができる。
【００７８】
例えば、上述の実施の形態では、電気的駆動体としての一つの反射型表示装置５０が、筐体１０の上部に配置されているが、反射型表示装置５０は、複数配置されてもよく、配置位置も任意に設定できる。例えば、反射型表示装置５０は、筐体１０の上部および両側部に設けられてもよい。また、反射型表示装置５０は、表示層２の前面に設けられてもよい。
【００７９】
また、上述の実施の形態では、電気的駆動体の一例として、反射型表示装置５０を説明したが、電気的駆動体は、透過型表示装置、モータ駆動式の回転型の装飾部材、無線発信機、センサ（人感センサ、温度センサ、照度センサ、湿度センサ等）、または発光体等であっても構わない。また、電気的駆動体は、反射型表示装置、透過型表示装置、モータ駆動式の回転型の装飾部材、無線発信機、センサ（人感センサ、温度センサ、照度センサ、湿度センサ等）および発光体等のうちの二種以上の組合せでもよい。電気的駆動体として無線発信機を用いる場合には、無線発信機は、表示層２の表示面２Ａとは反対の面に配置されてもよい。この場合に、表示面２Ａにおいて、無線発信機の配置位置の近傍で無線を受信可能である旨を広告する文字や図形等を表示することにより、効果的な情報表示を行うことができる。また、モータ駆動式の回転型の装飾部材は、例えば、飲料ボトルの形状に形成された装飾体がモータによって回転されるような部材を意味する。
【００８０】
また、上述の実施の形態では、レール部材１０９によって、太陽電池保持部１０２の保持部本体１０５と光拡散層１０６とが一体化されるが、レール部材１０９によって、保持部本体１０５と光拡散層１０６と表示層２とが一体化されてもよい。また、このようなレール部材１０９を用いることなく、保持部本体１０５と光拡散層１０６とが一体化されてもよい、また、表示層２は、光拡散層１０６に設けられたホルダ部１０７によって取り付けられるが、その取付態様は、特に限定されるものではない。
【００８１】
また、上述の実施の形態では、基台本体１１１を折り畳み可能とするための屈曲部３０のうちの折り目線１１が基体１１２Ａに形成され、切込部１３が基体１１２Ｂに形成されることを説明したが、折り目線１１が基体１１２Ｂに形成され、切込部１３が基体１１２Ａに形成されてもよい。太陽電池保持部１０２が取り付けられない側である基体１１２Ｂに折り目線１１が形成され、その上部がその下部に向けて折り畳まれた方が、基台本体１１１をコンパクトに折り畳むことが可能となるため、有益な場合がある。
【００８２】
また、例えば、上述の実施の形態における表示体１は全体的に長方形状であるが、その形状は特に限定されることはなく、例えば、五角形状や、人型等でも構わない。
【符号の説明】
【００８３】
１  太陽電池付き表示体
２  表示層
２Ａ  表示面
１０  筐体
１１  折り目線
１３  切込部
１４  突出体
１５  自立保持部
１６，１７  支持部材
２０  移動体
３０  屈曲部
４０  太陽電池パネル
５０  反射型表示装置
６０  回路基盤
６１  受電配線
６２  給電配線
１００  筐体本体
１０１  基台
１０２  太陽電池保持部
１０３  保持パネル
１０３Ａ  開口部
１０４  積層パネル
１０４Ａ  収容孔
１０５  保持部本体
１０６  光拡散層
１０７  ホルダ部
１０８  箱体
１１１  基台本体
１１２，１１２Ａ，１１２Ｂ  基体
１１４  開口部
Ｓ  隙間
【図１】
0006641697.tif 000002
【図２】
0006641697.tif 000003
【図３】
0006641697.tif 000004
【図４】
0006641697.tif 000005
【図５】
0006641697.tif 000006
【図６】
0006641697.tif 000007
【図７】
0006641697.tif 000008